【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
複数のユーザのそれぞれに対してルールセット及び１以上の入力に基づくゲームの結果に関して、各賭けが関連する単位賭け金を有する複数の賭けを格納するよう動作可能なメモリと、
各スポーツイベントが複数のパリミューチュアル賭けプールの１つに対応する複数のスポーツイベントの１つに受け付けた各賭けを割り当て、
前記複数のパリミューチュアル賭けプールの１つに対応するスポーツイベントに対して、前記スポーツイベントからのイベント結果を受け付け、前記スポーツイベントに割り当てられた前記受け付けた賭けの単位賭け金の合計の少なくとも一部から構成される前記パリミューチュアル賭けプールの金額を決定し、前記スポーツイベントに割り当てられた受け付けた各賭けに対して、前記イベント結果に基づき、前記ゲームに対する１以上の入力を決定し、前記スポーツイベントに割り当てられた受け付けた各賭けに対して、前記ルールセット及び前記賭けに対する１以上の決定された入力に少なくとも基づき、前記ゲームの結果を決定し、前記スポーツイベントに割り当てられた受け付けた各賭けに対して、前記賭けが該賭けに対するゲームの結果に基づき当選した賭けであるか決定し、決定された各当選した賭けに対して、該賭けに係る単位賭け金、決定されたすべての当選した賭けに係る合計の単位賭け金及び前記スポーツイベントに対するパリミューチュアル賭けプールの金額に少なくとも基づき、払戻の金額を決定するよう動作可能なプロセッサと、
から構成されることを特徴とするパリミューチュアルゲームシステム。
【請求項２】
請求項１記載のシステムであって、
前記ゲームは、クラップス、ブラックジャック、ルーレット、スロット、キーノー、バカラ、戦争、マネーホイール及びポーカーからなるカジノゲームの１つから構成されることを特徴とするシステム。
【請求項３】
請求項１記載のシステムであって、
前記スポーツイベントは、複数の参加者を有するレースイベントから構成され、
前記イベント結果は、前記レースイベントにおける前記複数の参加者の少なくとも１つの着順から構成される、
ことを特徴とするシステム。
【請求項４】
請求項１記載のシステムであって、
各パリミューチュアル賭けプールは、複数のプール運営者の１つによって運営されることを特徴とするシステム。
【請求項５】
請求項４記載のシステムであって、
前記複数のプールホストの１以上のそれぞれは、異なるスポーツイベント場所から構成されることを特徴とするシステム。
【請求項６】
請求項３記載のシステムであって、
前記レースイベントは、競馬レースから構成されることを特徴とするシステム。
【請求項７】
請求項３記載のシステムであって、
前記レースイベントは、ドッグレースから構成されることを特徴とするシステム。
【請求項８】
請求項３記載のシステムであって、
前記レースイベントは、ハイアライゲームから構成されることを特徴とするシステム。
【請求項９】
請求項３記載のシステムであって、
前記レースイベントへの各参加者は、数字による識別子を有し、
前記ゲームは、クラップスから構成され、
前記各賭けに対するゲームの１以上の入力の決定は、１以上の着順によりゴールした１以上の参加者の数字による識別子に基づき、シミュレートされたサイコロの投げ目を決定することから構成される、
ことを特徴とするシステム。
【請求項１０】
請求項３記載のシステムであって、
前記レースイベントへの各参加者は、数字による識別子を有し、
前記ゲームは、カードゲームから構成され、
前記各賭けに対するゲームの１以上の入力の決定は、１以上の着順によりゴールした１以上の参加者の数字による識別子に基づき、シミュレートされたカードの値を決定することから構成される、
ことを特徴とするシステム。
【請求項１１】
請求項３記載のシステムであって、
前記レースイベントへの各参加者は、数字による識別子を有し、
前記ゲームは、ルーレットから構成され、
前記各賭けに対するゲームの１以上の入力の決定は、複数の着順によりゴールした複数の参加者のそれぞれの数字による識別子に基づき、シミュレートされたルーレットの回転の結果を決定することから構成される、
ことを特徴とするシステム。
【請求項１２】
請求項３記載のシステムであって、
前記レースイベントへの各参加者は、数字による識別子を有し、
前記ゲームは、スロットから構成され、
前記各賭けに対するゲームの１以上の入力の決定は、複数の着順によりゴールした複数の参加者のそれぞれの数字による識別子に基づき、シミュレートされたスロットマシーンの回転の結果を決定することから構成される、
ことを特徴とするシステム。
【請求項１３】
請求項１記載のシステムであって、
前記スポーツイベントに割り当てられた賭けの１つに対するゲームの１以上の入力の決定は、前記スポーツイベントからのイベント結果及び前記賭けに係る１以上の賭けパラメータに基づき、前記賭けに対するゲームの１以上の入力を決定することから構成されることを特徴とするシステム。
【請求項１４】
請求項１３記載のシステムであって、
前記賭けに係る１以上の賭けパラメータは、前記賭けが受付されたユーザによって選択されることを特徴とするシステム。
【請求項１５】
請求項１３記載のシステムであって、
前記賭けに係る１以上の賭けパラメータは、ランダムに決定されることを特徴とするシステム。
【請求項１６】
請求項１３記載のシステムであって、
前記スポーツイベントは、複数の参加者を有するレースイベントから構成され、
前記レースイベントへの各参加者は、数字による識別子を有し、
前記賭けに係る１以上の賭けパラメータは、前記レースイベントにおける１以上の着順の表示から構成され、
前記イベント結果は、前記レースイベントにおける１以上の着順によりゴールした参加者の数字による識別子から構成され、
前記賭けに対するゲームの１以上の入力の決定は、前記イベント結果に基づき、前記賭けに係る１以上の賭けパラメータによって示される１以上の着順のそれぞれによりゴールした参加者を決定することから構成される、
ことを特徴とするシステム。
【請求項１７】
請求項１記載のシステムであって、
前記レースイベントに対するパリミューチュアル賭けプールの金額の決定は、キャリーオーバープールによる前記レースイベントに割り当てられた前記受け付けた賭けの単位賭け金の合計を少なくとも加えることから構成され、
前記キャリーオーバー賭けプールの少なくとも一部は、前記レースイベント前に前記レースイベントに割り当てられたが、前記レースイベントにキャリーオーバーされた前記賭けの単位賭け金から構成される、
ことを特徴とするシステム。
【請求項１８】
請求項１記載のシステムであって、
前記プロセッサはさらに、
前記スポーツイベントに割り当てられた各賭けに対して、前記賭けが引き分けであるか決定し、
決定された各引き分けに対して、該引き分けに係る単位賭け金をキャリーオーバー賭けプールに含め、
前記パリミューチュアル賭けプールに対応する以降のスポーツイベントに対して、前記キャリーオーバー賭けプールを前記パリミューチュアル賭けプールに含める、
よう動作可能であることを特徴とするシステム。
【請求項１９】
請求項１記載のシステムであって、
前記プロセッサはさらに、
前記スポーツイベントに割り当てられた各賭けに対して、該賭けが該賭けに対するゲームの結果に基づき外れた賭けであるか判断し、
前記賭けが外れた賭けであると判断された場合、前記賭けに対してゼロの払戻を決定する、
よう動作可能であることを特徴とするシステム。
【請求項２０】
請求項１記載のシステムであって、
前記パリミューチュアル賭けプールは、前記スポーツイベントの開始前に、前記スポーツイベントに何れの賭けも割り当てられないように、前記スポーツイベントの開始前にクローズされることを特徴とするシステム。
【請求項２１】
請求項１記載のシステムであって、
前記パリミューチュアル賭けプールは、前記スポーツイベントの実行の少なくとも一部の間に、１以上の賭けの単位賭け金が前記パリミューチュアル賭けプールに割当て可能となるように、前記スポーツイベントの実行の少なくとも一部の間はオープンされていることを特徴とするシステム。
【請求項２２】
請求項１記載のシステムであって、
前記プロセッサはさらに、前記スポーツイベントに割り当てられた賭けが受付されたクライアントに、前記スポーツイベントの進行の表示を通信するよう動作可能であることを特徴とするシステム。
【請求項２３】
請求項２２記載のシステムであって、
前記スポーツイベントの進行の表示を前記クライアントに通信することは、前記スポーツイベントのストリーミング映像を前記クライアントに通信することから構成されることを特徴とするシステム。
【請求項２４】
請求項２３記載のシステムであって、
前記スポーツイベントのストリーミング映像は、前記クライアントに実質的にリアルタイムに通信されることを特徴とするシステム。
【請求項２５】
請求項１記載のシステムであって、
ユーザの賭けが割り当てられている前記スポーツイベントの識別は、前記賭けが前記ユーザに受付される前には利用可能とされていないことを特徴とするシステム。
【請求項２６】
ルールセット及び１以上の入力に基づく複数のユーザのそれぞれに対するゲームの結果に関して、各賭けが関連する単位賭けを有する複数の賭けを格納するよう動作可能なメモリと、
スポーツイベントからのイベント結果を受け付け、前記受け付けたイベント結果に基づき、前記ゲームに対する１以上の入力を決定し、前記ルールセット及び前記決定された１以上の入力に少なくとも基づき、ユーザから受け付けた賭けに対するゲーム結果を決定し、前記賭けが該賭けに対するゲーム結果に基づき当選した賭けであるか決定し、前記賭けが当選した賭けであると決定された場合、前記賭けに係る単位賭け金と、前記受け付けた複数の賭けの単位賭けの合計の少なくとも一部から構成されるパリミューチュアル賭けプールの金額とに少なくとも基づき、前記賭けに対する払戻の金額を決定するよう動作可能なプロセッサと、
から構成されることを特徴とするパリミューチュアルゲームシステム。
【請求項２７】
請求項２６記載のシステムであって、
前記ゲームは、クラップス、ブラックジャック、ルーレット、スロット、キーノー、バカラ、戦争、マネーホイール及びポーカーからなるカジノゲームの１つから構成されることを特徴とするシステム。
【請求項２８】
請求項２６記載のシステムであって、
前記スポーツイベントは、複数の参加者を有するレースイベントから構成され、
前記イベント結果は、前記レースイベントにおける前記複数の参加者の少なくとも１つの着順から構成される、
ことを特徴とするシステム。
【請求項２９】
請求項２８記載のシステムであって、
前記レースイベントは、競馬レースから構成され、
前記複数の参加者は、前記競馬レースにおける複数の馬から構成される、
ことを特徴とするシステム。
【請求項３０】
請求項２８記載のシステムであって、
前記レースイベントは、ドッグレースから構成され、
前記複数の参加者は、前記ドッグレースにおける複数の犬から構成される、
ことを特徴とするシステム。
【請求項３１】
請求項２８記載のシステムであって、
前記レースイベントは、ハイアライゲームから構成されることを特徴とするシステム。
【請求項３２】
請求項２８記載のシステムであって、
前記レースイベントへの各参加者は、数字による識別子を有し、
前記ゲームは、クラップスから構成され、
前記レースイベントの結果に基づき前記ゲームの１以上の入力を決定するステップは、１以上の着順によりゴールした１以上の参加者の数字による識別子に基づき、シミュレートされたサイコロの投げ目を決定することから構成される、
ことを特徴とするシステム。
【請求項３３】
請求項２８記載のシステムであって、
前記レースイベントへの各参加者は、数字による識別子を有し、
前記ゲームは、カードゲームから構成され、
前記レースイベントの結果に基づく前記ゲームの１以上の入力の決定は、１以上の着順によりゴールした１以上の参加者の数字による識別子に基づき、シミュレートされたカードの値を決定することから構成される、
ことを特徴とするシステム。
【請求項３４】
請求項２８記載のシステムであって、
前記レースイベントへの各参加者は、数字による識別子を有し、
前記ゲームは、ルーレットから構成され、
前記レースイベントの結果に基づく前記ゲームの１以上の入力の決定は、複数の着順によりゴールした複数の参加者のそれぞれの数字による識別子に基づき、シミュレートされたルーレットの回転の結果を決定することから構成される、
ことを特徴とするシステム。
【請求項３５】
請求項２８記載のシステムであって、
前記レースイベントへの各参加者は、数字による識別子を有し、
前記ゲームは、スロットから構成され、
前記レースイベントの結果に基づく前記各賭けに対するゲームの１以上の入力を決定は、複数の着順によりゴールした複数の参加者のそれぞれの数字による識別子に基づき、シミュレートされたスロットマシーンの回転の結果を決定することから構成される、
ことを特徴とするシステム。
【請求項３６】
請求項２６記載のシステムであって、
前記スポーツイベントからのイベント結果に基づくゲームの１以上の入力の決定は、前記スポーツイベントからのイベント結果及び前記賭けに係る１以上の賭けパラメータに基づき、前記賭けに対するゲームの１以上の入力を決定することから構成されることを特徴とするシステム。
【請求項３７】
請求項３６記載のシステムであって、
前記賭けに係る１以上の賭けパラメータは、前記ユーザによって選択されることを特徴とするシステム。
【請求項３８】
請求項３６記載のシステムであって、
前記賭けに係る１以上の賭けパラメータは、ランダムに決定されることを特徴とするシステム。
【請求項３９】
請求項３６記載のシステムであって、
前記スポーツイベントは、複数の参加者を有するレースイベントから構成され、
前記レースイベントへの各参加者は、数字による識別子を有し、
前記賭けに係る１以上の賭けパラメータは、前記レースイベントにおける１以上の着順の表示から構成され、
前記イベント結果は、前記レースイベントにおける１以上の着順によりゴールした参加者の数字による識別子から構成され、
前記ゲームの１以上の入力の決定は、前記イベント結果に基づき、前記賭けに係る１以上の賭けパラメータによって示される１以上の着順のそれぞれによりゴールした参加者を決定することから構成される、
ことを特徴とするシステム。
【請求項４０】
請求項２６記載のシステムであって、
前記プロセッサはさらに、
前記賭けが、該賭けに対するゲームの結果に基づき外れの賭けであるか判断し、
前記賭けが外れの賭けであると判断される場合、前記賭けに対してゼロの払戻を決定する、
よう動作可能であることを特徴とするシステム。
【請求項４１】
請求項２６記載のシステムであって、
前記プロセッサはさらに、前記スポーツイベントの開始前に前記パリミューチュアル賭けプールをクローズするよう動作可能であることを特徴とするシステム。
【請求項４２】
請求項２６記載のシステムであって、
前記パリミューチュアル賭けプールは、前記スポーツイベントの実行の少なくとも一部の間に、前記プロセッサが１以上の賭けの単位賭け金を前記パリミューチュアル賭けプールに割当て可能となるように、前記スポーツイベントの実行の少なくとも一部の間はオープンされていることを特徴とするシステム。
【請求項４３】
請求項２６記載のシステムであって、
前記プロセッサはさらに、前記スポーツイベントの進行の表示を前記ユーザに係るクライアントに通信するよう動作可能であることを特徴とするシステム。
【請求項４４】
請求項４３記載のシステムであって、
前記スポーツイベントの進行の表示を前記ユーザに係るクライアントに通信することは、前記スポーツイベントのストリーミング映像を前記クライアントに通信することから構成されることを特徴とするシステム。
【請求項４５】
請求項４４記載のシステムであって、
前記スポーツイベントのストリーミング映像は、実質的にリアルタイムにより前記クライアントに通信されることを特徴とするシステム。
【請求項４６】
請求項２６記載のシステムであって、
前記スポーツイベントは、複数のレースイベントの１つから構成され、
前記レースイベントの識別は、前記賭けが前記ユーザから受付される前には、前記ユーザに利用可能にされない、
ことを特徴とするシステム。
【請求項４７】
請求項２６記載のシステムであって、
前記プロセッサはさらに、
前記賭けが、該賭けに対するゲームの結果に基づき引き分けであるか決定し、
前記賭けが引き分けと決定された場合、前記賭けに係る単位賭け金をキャリーオーバー賭けプールに含め、以降のスポーツイベントに対する前記パリミューチュアルの更新された金額を決定する、
よう動作可能であり、
前記更新された金額は、前記キャリーオーバー賭けプールと複数の以降の賭けの単位賭け金の合計の少なくとも一部から構成されることを特徴とするシステム。
【請求項４８】
請求項２６記載のシステムであって、
前記プロセッサはさらに、
前記賭けが、該賭けに対するゲーム結果に基づき引き分けであるか決定し、
前記賭けが引き分けであると決定された場合、前記賭けに係る単位賭け金をキャリーオーバー賭けプールに含め、１以上の以降のユーザのそれぞれから、前記ユーザに対するゲームの結果に関する関連する単位賭け金を有する以降の賭けを受け付け、前記キャリーオーバー賭けプールと前記複数の以降の賭けの単位賭け金の合計の少なくとも一部を有する前記パリミューチュアル賭けプールの更新された金額を決定し、以降のスポーツイベントからのイベント結果に基づき、前記ゲームの１以上の以降の入力を決定し、前記決定された１以上の以降の入力及び前記ルールセットに少なくとも基づき、前記賭けに対するゲームの以降の結果を決定し、前記賭けが、該賭けに対するゲームの以降の結果に基づき、当選した賭けであるか以降に判断し、前記賭けが前記以降の判断に従って当選した賭けである場合、前記パリミューチュアル賭けプールの更新された金額及び前記賭けに係る単位賭け金に少なくとも基づき、前記賭けに対する払戻の金額を決定する、
よう動作可能であることを特徴とするシステム。
【請求項４９】
請求項２６記載のシステムであって、
前記プロセッサはさらに、
前記複数のユーザから受け付けた各賭けに対して、前記スポーツイベントからのイベント結果に基づき、前記ゲームに対する１以上の入力を決定し、前記決定された１以上の結果及び前記ルールセットに少なくとも基づき、前記賭けに対するゲーム結果を決定し、前記賭けが、該賭けに対するゲームの結果に基づく当選した賭けであるか決定し、
前記複数のユーザから受け付けた賭けの何れも当選した賭けと決定されない場合、前記賭けに係る単位賭け金を以降のスポーツイベントに係る以降のパリミューチュアル賭けプールに含める、
よう動作可能であることを特徴とするシステム。